(57)【要約】【課題】所定の種類のパケットであることを示すために当該パケットのヘッダに記録される識別符号と同様の符号を、誤認識されることなく当該パケットのペイロードに記録する。【解決手段】例えば、図５に示すように、アンシラリデータとして、符号列ＡＥｈ，９０ｈ，００ｈ，ＦＦｈ，ＦＦｈ，ＢＣｈ，６７ｈ…を格納する場合、符号列Ａｈ，Ｅｈ，９ｈ，０ｈ，０ｈ，０ｈ，Ｆｈ，Ｆｈ，Ｆｈ，Ｆｈ，Ｂｈ，Ｃｈ，６ｈ，７ｈ…に区切りに、マーカ１ｈ，３ｈを交互に付加する。この結果得られる符号列１Ａｈ，３Ｅｈ，１９ｈ，３０ｈ，１０ｈ，３０ｈ，１Ｆｈ，３Ｆｈ，１Ｆｈ，３Ｆｈ，１Ｂｈ，３Ｃｈ，１６ｈ，３７ｈ…をユーザデータワーズに格納するようにする。本発明は、内部においてアンシラリデータを映像信号に埋め込んで伝送する受信装置，ＤＶＤプレーヤ等に適用することができる。【選択図】      図５
2004297710.tif 000002
【特許請求の範囲】
【請求項１】
少なくとも、所定の種類のパケットであることを示すための識別符号およびペイロードから構成されるパケットを生成する信号処理装置において、
前記ペイロードに格納すべきデータを所定のデータ量毎に区切り、前記データの区切りに所定のマーカを挿入する挿入手段と、
前記挿入手段によって前記所定のマーカが挿入された前記データを、前記ペイロードに格納して前記パケットを生成する生成手段とを含むことを特徴とする信号処理装置。
【請求項２】
前記挿入手段は、前記ペイロードに格納すべきデータを１バイト毎に区切り、前記データの区切りに１バイトのマーカを挿入することを特徴とする請求項１に記載の信号処理装置。
【請求項３】
前記挿入手段は、前記ペイロードに格納すべきデータを１バイト毎に区切り、前記データの区切りに１バイトの異なる複数のマーカを順に挿入することを特徴とする請求項１に記載の信号処理装置。
【請求項４】
前記生成手段によって生成された前記パケットを、所定の信号に重畳する重畳手段をさらに含むことを特徴とする請求項１に記載の信号処理装置。
【請求項５】
前記重畳手段によって前記パケットが重畳されている所定の信号から、前記パケットを抽出する抽出手段と、
前記抽出手段によって抽出された前記パケットを記憶する記憶手段とをさらに含むことを特徴とする請求項３に記載の信号処理装置。
【請求項６】
前記記憶手段は、前記抽出手段によって抽出された前記パケットのペイロードに格納されている、前記マーカが挿入されているデータから、前記マーカを除去して記憶することを特徴とする請求項５に記載の信号処理装置。
【請求項７】
前記記憶手段は、前記抽出手段によって抽出された前記パケットに、ダミーデータを追加して記憶することを特徴とする請求項５に記載の信号処理装置。
【請求項８】
少なくとも、所定の種類のパケットであることを示すための識別符号およびペイロードから構成されるパケットを生成する信号処理方法において、
前記ペイロードに格納すべきデータを所定のデータ量毎に区切り、前記データの区切りに所定のマーカを挿入する挿入ステップと、
前記挿入ステップの処理で前記所定のマーカが挿入された前記データを、前記ペイロードに格納して前記パケットを生成する生成ステップとを含むことを特徴とする信号処理方法。
【請求項９】
少なくとも、所定の種類のパケットであることを示すための識別符号およびペイロードから構成されるパケットを生成するためのプログラムであって、
前記ペイロードに格納すべきデータを所定のデータ量毎に区切り、前記データの区切りに所定のマーカを挿入する挿入ステップと、
前記挿入ステップの処理で前記所定のマーカが挿入された前記データを、前記ペイロードに格納して前記パケットを生成する生成ステップとを含むことを特徴とするコンピュータが読み取り可能なプログラムが記録されている記録媒体。
【請求項１０】
少なくとも、所定の種類のパケットであることを示すための識別符号およびペイロードから構成されるパケットを生成するためのプログラムであって、
前記ペイロードに格納すべきデータを所定のデータ量毎に区切り、前記データの区切りに所定のマーカを挿入する挿入ステップと、
前記挿入ステップの処理で前記所定のマーカが挿入された前記データを、前記ペイロードに格納して前記パケットを生成する生成ステップとを含む処理をコンピュータに実行させることを特徴とするプログラム。
【発明の詳細な説明】
【０００１】
【発明の属する技術分野】
本発明は、信号処理装置および方法、記録媒体、並びにプログラムに関し、特に、所定の種類のパケットであることを示すために当該パケットのヘッダに記録される識別符号と同様の符号を、誤認識されることなく当該パケットのペイロードに記録するようにした信号処理装置および方法、記録媒体、並びにプログラムに関する。
【０００２】
【従来の技術】
例えば、テレビジョン放送信号を受信する受信装置やＤＶＤ（Ｄｉｇｉｔａｌ  Ｖｅｒｓａｔｉｌｅ  Ｄｉｓｃ）プレーヤ等の内部においては、映像信号の隙間（例えば、垂直帰線期間等）に、アンシラリデータ（ａｎｃｉｌｌａｒｙ  ｄａｔａ）と称される補助的なデータが埋め込まれて伝送され、所定の処理が行われている。
【０００３】
アンシラリデータは、放送規格の一種であるＲｅｃ．ＩＴＵ−Ｒ  ＢＴ．１３６４に規定されているものであって、具体的には、例えば、クローズドキャプション、テレテキスト、あるいは文字放送等のテキスト情報、対応する映像信号の映像を表示する際の画質改善に用いられる元画像情報（エンコード方式、画像サイズ、アスペクト比、データ圧縮率等）、ユーザからのコマンド（一時停止、再生等）に対応する情報等である。
【０００４】
図１は、アンシラリデータパケットのデータ構造を示している。当該パケットのヘッダには、当該パケットがアンシラリデータパケットであることを示すための３バイトのアンシラリデータフラグ、具体的には、符号列００ｈ，ＦＦｈ，ＦＦｈが記録されている。アンシラリデータフラグの後段には、当該アンシラリデータの種類を示す１バイトのデータＩＤ（ＤＩＤ）、１バイトのセカンダリデータＩＤ（ＳＤＩＤ）、およびヘッダの後に続くユーザデータワーズ（ＵＤＷ）のデータ長を含む１バイトのデータカウント（ＤＣ）が記録される。ユーザデータワーズ（最大２５５バイト）には、アンシラリデータそのものが格納される。ユーザデータワーズの後には、１バイトのチェックサムが記録される。
【０００５】
１バイトのデータカウントは、１ビットのネガティブパリティ（ＮＰ）、１ビットのパリティ（Ｐ）、および６ビットで示すユーザデータワーズのデータ長からなる。
【０００６】
【発明が解決しようとする課題】
上述したように、アンシラリデータフラグは、符号列００ｈ，ＦＦｈ，ＦＦｈである。したがって、例えば、図２に示すように、ユーザデータワーズの中に、アンシラリデータフラグと同様の符号列００ｈ，ＦＦｈ，ＦＦｈが格納されていた場合、受信装置やＤＶＤプレーヤ等の内部に設けられている、ビデオデータに埋め込まれているアンシラリデータを検出して所定の処理を行うための回路（以下、ＧＵＩブロックと記述する）が、ユーザデータワーズの中の符号００ｈ，ＦＦｈ，ＦＦｈを、アンシラリデータフラグであると誤認識し、その結果、受信装置やＤＶＤプレーヤ等が誤動作してしまうことになる。
【０００７】
したがって、従来においては、符号列００ｈ，ＦＦｈ，ＦＦｈをユーザデータワーズに格納する必要が生じたとしても、ＧＵＩブロックの上述したような誤検出、誤動作を避けるため、符号列００ｈ，ＦＦｈ，ＦＦｈをユーザデータワーズに格納することができない課題があった。
【０００８】
ところで、ＧＵＩブロックにおいて、アンシラリデータフラグによりアンシラリデータパケットとして検出されたパケットは、データＩＤ以降のデータがバッファ等に一時的に保持されることになる。
【０００９】
８バイトのデータカウンタに含まれる６ビットのデータ長は、最大で２５５程度の数を示す必要があるので、当該６ビットのＬＳＢ（Ｌｅａｓｔ  Ｓｉｇｎｉｆｉｃａｎｔ  Ｂｉｔ）は４とされ、示すことができる数は４の倍数となる。したがって、ユーザデータワーズのデータ長は、バイト単位で４の倍数とされている。ユーザデータワーズのデータ長がバイト単位で４の倍数であることに対応して、ＧＵＩブロックのバッファ等のアドレスは４バイト単位でデータの書き込みと読み出しが行われるようになされている。
【００１０】
しかしながら、上述したように、ＧＵＩブロックのバッファ等には、１バイトのデータＩＤ、１バイトのセカンダリデータＩＤ、および１バイトのデータカウントが格納されるので、例えば、図３に示すように、ユーザデータワーズ（図３においてはＤＡＴＡと表示されている）の先頭の１バイトがアドレスの先頭から始まらないことになり、バッファ等からユーザデータワーズを読み出した後の処理が面倒であるという課題があった。
【００１１】
本発明はこのような状況に鑑みてなされたものであり、所定の種類のパケットであることを示すために当該パケットのヘッダに記録される識別符号と同様の符号を、誤認識されることなく当該パケットのペイロードに記録できるようにすることを目的とする。
【００１２】
【課題を解決するための手段】
本発明の信号処理装置は、ペイロードに格納すべきデータを所定のデータ量毎に区切り、データの区切りに所定のマーカを挿入する挿入手段と、挿入手段によって所定のマーカが挿入されたデータを、ペイロードに格納してパケットを生成する生成手段とを含むことを特徴とする。
【００１３】
前記挿入手段は、ペイロードに格納すべきデータを１バイト毎に区切り、データの区切りに１バイトのマーカを挿入するようにすることができる。
【００１４】
前記挿入手段は、ペイロードに格納すべきデータを１バイト毎に区切り、データの区切りに１バイトの異なる複数のマーカを順に挿入するようにすることができる。
【００１５】
本発明の信号処理装置は、生成手段によって生成されたパケットを、所定の信号に重畳する重畳手段をさらに含むことができる。
【００１６】
本発明の信号処理装置は、重畳手段によってパケットが重畳されている所定の信号から、パケットを抽出する抽出手段と、抽出手段によって抽出されたパケットを記憶する記憶手段とをさらに含むことができる。
【００１７】
前記記憶手段は、抽出手段によって抽出されたパケットのペイロードに格納されている、マーカが挿入されているデータから、マーカを除去して記憶するようにすることができる。
【００１８】
前記記憶手段は、抽出手段によって抽出されたパケットに、ダミーデータを追加して記憶するようにすることができる。
【００１９】
本発明の信号処理方法は、ペイロードに格納すべきデータを所定のデータ量毎に区切り、データの区切りに所定のマーカを挿入する挿入ステップと、挿入ステップの処理で所定のマーカが挿入されたデータを、ペイロードに格納してパケットを生成する生成ステップとを含むことを特徴とする。
【００２０】
本発明の記録媒体のプログラムは、ペイロードに格納すべきデータを所定のデータ量毎に区切り、データの区切りに所定のマーカを挿入する挿入ステップと、挿入ステップの処理で所定のマーカが挿入されたデータを、ペイロードに格納してパケットを生成する生成ステップとを含むことを特徴とする。
【００２１】
本発明のプログラムは、ペイロードに格納すべきデータを所定のデータ量毎に区切り、データの区切りに所定のマーカを挿入する挿入ステップと、挿入ステップの処理で所定のマーカが挿入されたデータを、ペイロードに格納してパケットを生成する生成ステップとを含む処理をコンピュータに実行させることを特徴とする。
【００２２】
本発明の信号処理装置および方法、並びにプログラムにおいては、ペイロードに格納すべきデータが所定のデータ量毎に区切られ、データの区切りに所定のマーカが挿入される。また、所定のマーカが挿入されたデータがペイロードに格納されてパケットが生成される。
【００２３】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（ただし一例）を付加して本発明の特徴を記述すると、次のようになる。
【００２４】
すなわち、本発明の信号処理装置（例えば、図４の信号処理装置１０）は、ペイロードに格納すべきデータ（例えば、アンシラリデータ）を所定のデータ量（例えば、１バイト）毎に区切り、データの区切りに所定のマーカ（例えば、１バイトの１ｈ，３ｈ）を挿入する挿入手段（例えば、図４のアンシラリデータエンコーダ１６）と、挿入手段によって所定のマーカが挿入されたデータを、ペイロードに格納してパケットを生成する生成手段（例えば、図４のアンシラリデータエンコーダ１６）とを含むことを特徴とする。
【００２５】
本発明の信号処理装置は、生成手段によって生成されたパケットを、所定の信号に重畳する重畳手段（例えば、図４のアンシラリデータエンコーダ１６）をさらに含むことができる。
【００２６】
本発明の信号処理装置は、重畳手段によってパケットが重畳されている所定の信号から、パケットを抽出する抽出手段（例えば、図４のアンシラリデータデコーダ２０）と、抽出手段によって抽出されたパケットを記憶する記憶手段（例えば、図４の記憶部２１）とをさらに含むことができる。
【００２７】
図４は、本発明を適用した信号処理装置の構成例を示している。この信号処理装置１０は、例えば、ディジタルテレビジョン放送信号を受信する受信部１やＤＶＤを再生するディスクドライブ２が出力するデータストリーム（ビデオデータ、オーディオデータ、字幕等のテキストデータ等が多重化されているものとする）を入力として、最終的に、アンシラリデータに基づいて加工された映像信号（例えば、字幕等のテキストが重畳表示される映像信号）をディスプレイ３に出力するものである。
【００２８】
信号処理装置１０は、ビデオデータ、オーディオデータ、テキストデータ等が多重化されているデータストリームを分離し、符号化されているビデオデータを復号し、その結果得られる映像信号に、アンシラリデータとしてテキストデータ、ユーザからのコマンド等を埋め込むＡＶコーデックブロック１１、ユーザの操作を入力する操作入力部１７、およびアンシラリデータが埋め込まれた映像信号からアンシラリデータを抽出し、抽出したアンシラリデータに基づいて映像信号に所定の処理を施す（例えば、字幕が重畳表示されるように映像信号を加工して）ＧＵＩブロック１８から構成される。
【００２９】
ＡＶコーデックブロック１１の制御部１２は、バス１３を介して、データ分離部１４乃至アンシラリデータエンコーダ１６を制御する。データ分離部１４は、受信部１またはディスクドライブ２から供給されるデータストリームを、ビデオデータ、オーディオデータ、テキストデータ等に分離し、ビデオデータをビデオデータ処理部１５に出力し、オーディオデータをビデオデータ処理部（不図示）に出力し、テキストデータ等をアンシラリデータエンコーダ１６に出力する。以下、オーディオデータについては、本発明との関連が薄いので、その記述は省略する。
【００３０】
ビデオデータ処理部１５は、ＭＰＥＧ（Ｍｏｖｉｎｇ  Ｐｉｃｔｕｒｅ  Ｅｘｐｅｒｔｓ  Ｇｒｏｕｐ）２方式等で符号化されているビデオデータを復号し、その結果得られるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式等の映像信号を、アンシラリデータエンコーダ１６に出力する。アンシラリデータエンコーダ１６は、データ分離部１４から入力されるテキストデータや操作入力部１７から入力されるユーザからのコマンド等を格納したアンシラリデータパケットを生成し、生成したアンシラリデータパケットを、ビデオデータ処理部１５から入力される映像信号に埋め込んで、ＧＵＩブロック１８に出力する。
【００３１】
アンシラリデータエンコーダ１６によるアンシラリデータパケットの生成の動作について、図５乃至図７を参照して説明する。
【００３２】
アンシラリデータエンコーダ１６は、ユーザデータワーズに格納すべきアンシラリデータを４ビット毎に区切り、各区切りに２種類の所定の符号（以下、マーカと記述する）を交互に付加して、ユーザデータワーズに格納するようにする。
【００３３】
例えば、図５に示すように、アンシラリデータとして、符号列ＡＥｈ，９０ｈ，００ｈ，ＦＦｈ，ＦＦｈ，ＢＣｈ，６７ｈ…を格納する場合、符号列Ａｈ，Ｅｈ，９ｈ，０ｈ，０ｈ，０ｈ，Ｆｈ，Ｆｈ，Ｆｈ，Ｆｈ，Ｂｈ，Ｃｈ，６ｈ，７ｈ…に区切りに、マーカ１ｈ，３ｈを交互に付加する。この結果得られる符号列１Ａｈ，３Ｅｈ，１９ｈ，３０ｈ，１０ｈ，３０ｈ，１Ｆｈ，３Ｆｈ，１Ｆｈ，３Ｆｈ，１Ｂｈ，３Ｃｈ，１６ｈ，３７ｈ…をユーザデータワーズに格納するようにする。
【００３４】
なお、ユーザデータワーズに格納すべきアンシラリデータに、アンシラリデータフラグの符号列００ｈ，ＦＦｈ，ＦＦｈと同様の符号列が含まれていない場合、マーカを挿入することなく、そのままユーザデータワーズに格納するようにしてもよい。
【００３５】
このように、ユーザデータワーズに格納すべきアンシラリデータに、周期的にマーカを挿入することにより、アンシラリデータフラグの符号列００ｈ，ＦＦｈ，ＦＦｈと同様の符号列を、アンシラリデータとして、ユーザデータワーズに格納することが可能となる。
【００３６】
なお、ユーザデータワーズに格納すべきアンシラリデータを区切るビット幅やマーカのビット幅は４ビットに限定されるものではなく任意である。ただし、本実施の形態のように、当該ビット幅をそれぞれ４ビットとすることにより、区切られたアンシラリデータとマーカとを組み合わせた符号が１バイトとなるので、以降の処理が容易となる。
【００３７】
また、マーカは、１ｈ，３ｈに限定するものではなく、任意の符号を用いることができる。
【００３８】
アンシラリデータエンコーダ１６はまた、アンシラリデータパケットのヘッダのセカンダリデータＩＤの後に、図６Ｂまたは図６Ｃに示すような情報を記録する。すなわち、セカンダリデータＩＤの後には、本来、図６Ａに示すような１バイト（８ビット）のデータカウントが記録される、この代わりに、アンシラリデータエンコーダ１６では、マーカを付加した場合、図６Ｂに示すように、データカウンタのＭＳＢ（Ｍｏｓｔ  Ｓｉｇｎｉｆｉｃａｎｔ  Ｂｉｔ）とＬＳＢを０とし、ＬＳＢ側の２ビット目から７ビット目までに、ユーザデータワーズのデータ長（マーカの分も含む）が格納された８ビットのレングスを記録する。
【００３９】
ただし、このデータ長は、マーカの分のデータ長も含んでおり、アンシラリデータの実質的なデータ長は半分であるので、データ長の最下位ビットに０を格納し、６ビットのデータ長が示す値は２の倍数とする。
【００４０】
マーカを付加しない場合、図６Ｃに示すように、データカウンタのＬＳＢ側から２ビット目までを０とし、ＬＳＢ側の３ビット目から８ビット目までに、ユーザデータワーズのデータ長が格納された８ビットのレングスを記録する。この場合、６ビットのデータ長が示す値は４の倍数とする。
【００４１】
さらに、アンシラリデータエンコーダ１６は、上述したように生成したアンシラリデータパケットを、ビデオデータ処理部１５から入力される映像信号に埋め込む。具体的には、図７に示すように、映像信号のアクティブフィールドの垂直上方に位置する、フィールド開始パルスｖｓｙｎｃに同期して開始されるブランクゾーン（図７の斜線で示される領域）に埋め込まれる。
【００４２】
図４に戻る。ＧＵＩブロック１８の制御部１９は、アンシラリデータデコーダ２０乃至ＯＳＤ（Ｏｎ  Ｓｃｒｅｅｎ  Ｄｉｓｐｌａｙ）部２２を制御する。アンシラリデータデコーダ２０は、制御部１９からの制御に従い、映像信号のブランクゾーンに埋め込まれているデータがアンシラリデータフラグであるか否かを判定して、アンシラリデータパケットを検出し、アンシラリデータパケットを抽出して記憶部２１に出力する。
【００４３】
記憶部２１は、制御部１９からの制御に従い、アンシラリデータデコーダ２０から入力されたアンシラリデータパケットのうち、アンシラリデータフラグとマーカ以外の部分を記憶する。具体的には、図８に示すように、１バイトのデータＩＤ、１バイトのセカンダリデータＩＤの後に、１バイトのダミーデータ（図８の場合、００ｈ）を記録し、次に、１バイトのレングス、ユーザデータワーズに格納されているデータからマーカを除去したものを１バイトずつ記録する。ただし、ユーザデータワーズに格納されているデータにマーカが付加されているか否については、８ビットのレングスに基づいて判断される。
【００４４】
なお、１バイトのダミーデータについては、その記録位置はセカンダリデータＩＤの後でなくても構わない。また、値については、００ｈ以外であってもよい。
【００４５】
このように、１バイトのセカンダリデータＩＤと１バイトのレングスの間に、１バイトのダミーデータを記録することにより、ユーザデータワーズに格納されていたアンシラリデータの先頭が、記憶部２１の４バイト単位のアドレスの始めに記録されることになり、記憶部２１から読み出される処理が容易となる。
【００４６】
図４に戻る。ＯＳＤ部２２は、制御部１９からの制御に従い、記憶部２１に記録されたアンシラリデータに基づいて映像信号を加工する。例えば、映像信号の映像に、アンシラリデータとしてのテキストデータが、字幕として重畳表示されるように、映像信号を加工する。
【００４７】
次に、信号処理装置１０の動作について、図９のフローチャートを参照して、説明する。ステップＳ１において、ＡＶコーデックブロック１１のデータ分離部１４は、受信部１またはディスクドライブ２から供給されたデータストリームを、ビデオデータ、オーディオデータ、テキストデータ等に分離し、ビデオデータをビデオデータ処理部１５に出力する。ビデオデータ処理部１５は、符号化されているビデオデータを復号し、その結果得られる映像信号を、アンシラリデータエンコーダ１６に出力する。アンシラリデータエンコーダ１６は、データ分離部１４から入力されたテキストデータ等を格納したアンシラリデータパケットを生成し、生成したアンシラリデータパケットを、ビデオデータ処理部１５から入力された映像信号に埋め込んで、ＧＵＩブロック１８に出力する。
【００４８】
ステップＳ２において、ＧＵＩブロック１８のアンシラリデータデコーダ２０は、映像信号のブランクゾーンに埋め込まれているアンシラリデータパケットを検出し、アンシラリデータパケットを抽出して記憶部２１に出力する。ステップＳ３において、記憶部２１は、制御部１９からの制御に従い、アンシラリデータデコーダ２０から入力されたアンシラリデータパケットのうち、アンシラリデータフラグとマーカ以外の部分を記憶する。
【００４９】
ステップＳ４において、ＯＳＤ部２２は、制御部１９からの制御に従い、記憶部２１に記録されたアンシラリデータに基づいて映像信号を加工する。例えば、映像信号の映像に、アンシラリデータとしてのテキストデータが、字幕として重畳表示されるように、映像信号を加工する。以上で、信号処理装置１０の動作の説明を終了する。
【００５０】
なお、本発明は、映像信号に埋め込んで伝送するアンシラリデータパケットに関わらず、あらゆるデータパケットの伝送に適用することが可能である。
【００５１】
【発明の効果】
以上のように、本発明によれば、所定の種類のパケットであることを示すために当該パケットのヘッダに記録される識別符号と同様の符号を、誤認識されることなく当該パケットのペイロードに記録することが可能となる。
【図面の簡単な説明】
【図１】アンシラリデータパケットのデータ構造を示す図である。
【図２】ユーザデータワーズがアンシラリデータフラグとしてご認識される場合の例を示す図である。
【図３】アンシラリデータパケットを記録する従来の状態を示す図である。
【図４】本発明の一実施の形態である信号処理装置の構成例を示すブロック図である。
【図５】アンシラリデータにマーカを付加してユーザデータワーズに記録する処理を説明するための図である。
【図６】生成されるアンシラリデータパケットに含まれるレングスのデータ構造を示す図である。
【図７】映像信号においてアンシラリデータパケットが埋め込まれる場所を示す図である。
【図８】アンシラリデータパケットを記録する本発明の状態を示す図である。
【図９】本発明を適用した信号処理装置の動作を説明するフローチャートである。
【符号の説明】
１０  信号処理装置，  １１  ＡＶコーデックブロック，  １４  データ分離部，  １６  アンシラリデータエンコーダ，  １８  ＧＵＩブロック，  ２０  アンシラリデータデコーダ，  ２１  記憶部，  ２２  ＯＳＤ部
【図１】
2004297710.tif 000003
【図２】
2004297710.tif 000004
【図３】
2004297710.tif 000005
【図４】
2004297710.tif 000006
【図５】
2004297710.tif 000007
【図６】
2004297710.tif 000008
【図７】
2004297710.tif 000009
【図８】
2004297710.tif 000010
【図９】
2004297710.tif 000011